(57)【要約】【課題】気体を圧入して十分に長い距離にわたって表面から噴出させながら送ることができる気送用多孔質パイプと、該多孔質パイプを用いた、信頼性および作業性に優れた防霜装置を提供する。【解決手段】温風発生装置２に配管３を介して、気泡サイズが平均２００μｍ以下、１μｍ以上であり、連通率が１０％以上、９０％以下であるプラスチックもしくはゴムの多孔質体からなる気送用多孔質パイプ１を連結し、前記気送用多孔質パイプ１の先端を栓４で封じて防霜装置を構成する。【選択図】        図２
2004267139.tif 000002
【特許請求の範囲】
【請求項１】
気泡サイズが平均２００μｍ以下、１μｍ以上であり、連通率が１０％以上、９０％以下であるプラスチックもしくはゴムの多孔質体からなることを特徴とする気送用多孔質パイプ。
【請求項２】
気泡サイズが平均２００μｍ以下、１μｍ以上であり、連通率が１０％以上、９０％以下であるプラスチックもしくはゴムの多孔質体からなる気送用多孔質パイプを温風発生装置に連結してなることを特徴とする防霜装置。
【発明の詳細な説明】
【０００１】
【発明の属する技術分野】
本発明は、気送用多孔質パイプおよび該多孔質パイプを用いた防霜装置に関し、詳しくは、気体が周壁から透過可能な気送用多孔質パイプ、および該多孔質パイプを用いて気体を送出することにより霜害を防ぐ防霜装置に関する。
【０００２】
【従来の技術】
農業において霜害は，一夜にして大きな被害をもたらすものであり、特に茶や果樹においてはその被害が一層大きくなる。霜害は、移動性高気圧に覆われて，快晴無風で放射冷却現象が生じたときに発生しやすい。この霜害を防ぐために、以下の防霜手段が用いられている。
１）防霜ファン
霜害が発生する際には、地表から放射された熱により地表上、数メートル高さ付近に地表面より温度の高い領域、いわゆる「逆転層」が形成される。そこで、地表上、数メートル高さ付近にファンを設置し、この逆転層の空気を地表面に吹き付けることで地表面付近や農作物の温度を上昇させる（例えば、特許文献１参照。）。
２）寒冷紗被覆法
農作物上にシート状のものを被せて、地表面および農作物からの熱の散逸を抑制する（例えば、特許文献２参照。）。
３）散水氷結法
降霜気候条件になったときに、農作物に散水噴霧し、水分が凍結するときに放出される潜熱により農作物の温度を０°Ｃ以上に保つ。
【０００３】
【特許文献１】特開平１０−１１３０７６号公報
【特許文献２】特開平９−２７５８２４号公報
【０００４】
【発明が解決しようとする課題】
しかしながら、上述の防霜手段には以下のような問題があった。即ち、
１）防霜ファンを用いると、多額の設備施工費用を要する。また、起伏のある地形では十分な効果が得られない。さらに、気温が大幅に低下して、逆転層の気温までも低下した場合には効果が得られない。
２）寒冷紗被覆法では、被覆作業および撤去作業がその都度必要となるため、労力を要する。
３）散水氷結法では、水源が必要になり、場合によっては湿害を生じることがある。
【０００５】
本発明は、上述した問題に鑑み、気体が好適に透過可能な気送用多孔質パイプと該多孔質パイプを用いた信頼性および作業性に優れた防霜装置を提供することを目的とする。
【０００６】
【課題を解決するための手段】
本発明は上記目的を達成するためになされたもので、請求項１記載の発明は、気泡サイズが平均２００μｍ以下、１μｍ以上であり、連通率が１０％以上、９０％以下であるプラスチックもしくはゴムの多孔質体からなることを特徴とする気送用多孔質パイプである。
ここで、連通率は、多孔質体の表面に通じた気泡の体積比率であって、ＡＳＴＭ規格（Ｄ２８５６）により定義されるものである。
【０００７】
また、請求項２記載の発明は、気泡サイズが平均２００μｍ以下、１μｍ以上であり、連通率が１０％以上、９０％以下であるプラスチックもしくはゴムの多孔質体からなる気送用多孔質パイプを温風発生装置に連結してなることを特徴とする防霜装置である。
【０００８】
請求項１記載の発明は、気体が周壁から透過可能な気送用多孔質パイプに関し、鋭意実験した結果に基づくものである。即ち、上述のように、気泡サイズおよび連通率を設定すると、気体を多孔質パイプ中に圧入して十分に長い距離にわたって表面から噴出させながら送ることができる。
ここで、気泡サイズを平均２００μｍ以下にした理由は、気泡サイズが平均２００μｍより大きくなると、気体が多孔質パイプの十分に長い距離にわたり円周方向に対して均一に噴出せず、多孔質パイプの先端では噴出量が減少するからであり、また、平均１μｍ以上にした理由は、気泡サイズが平均１μｍより小さくなると、製造が困難になるからである。
また、連通率を１０％以上、９０％以下にした理由は、連通率が１０％より小さくなると、多孔質パイプの単位長当たりの気体の噴出量が十分に得られず、連通率が９０％より大きいと、前記噴出量が大きくなりすぎて、気体を十分に長い距離にわたって送出することができなくなるためである。
【０００９】
そこで、請求項２のように、請求項１記載の気送用多孔質パイプを温風発生装置に連結すると、温風を十分に長い距離にわたって噴出させながら送ることができる。したがって、温風発生装置に連結された気送用多孔質パイプを農作物の付近に配置することにより、農作物を霜害から保護することができる。
【００１０】
【発明の実施の形態】
以下、図面に基づいて本発明の実施の形態を詳細に説明する。
図１は、本発明にかかる気送用多孔質パイプの一実施形態の斜視図である。
本実施形態の多孔質パイプ１は気泡サイズが平均２００μｍ以下、１μｍ以上であり、連通率が１０％以上、９０％以下であるプラスチックもしくはゴムの多孔質体からなる。
図２は、本発明にかかる防霜装置の一実施形態の説明図である。
本実施形態の防霜装置は、図２に示すように、温風発生装置２に温風を分流する配管３を介して４本の前記多孔質パイプ１を並列に接続したものである。各多孔質パイプ１の先端は、栓４により封じられている。また、多孔質パイプ１の先端近傍には、外気温度を検出する温度センサー５が配置されている。この温度センサー５で検出された外気温度が所定の温度以下になった場合に、温風発生装置２が起動して、温風を多孔質パイプ１に送出する。
【００１１】
本実施形態の防霜装置は、多孔質パイプ１を圃場の農作物６の近傍に、あるいはハウス栽培施設内に配設し、１００ｍ以上の長さにわたり温風を送出し、霜害を防ぐことができる。
また、本実施形態の防霜装置は、電源さえあれば、多孔質パイプ１を敷いて配設するだけでよく、配設および撤去の作業性がよい。特に、多孔質パイプ１は可撓性があるので、地形や農作物の配置によらず、農作物の近傍に容易に配設することができる。
さらに、多孔質パイプ１は保温性に優れるため、温風を温度低下を抑制して送出することができる。
【００１２】
（実施例）
多孔質パイプ１は、低密度ポリエチレンに架橋ポリエチレン、ＥＶＡ（エチレン酢酸ビニル共重合体）、ＥＥＡ（エチレンエチルアクリレート）を配合し、発泡させたものである。その内径は１６ｍｍ，外径は２１ｍｍ、長さは１００ｍである。また、その気泡サイズは平均約１００μｍ、気泡の連通率は２０％である。
温風発生装置２に接続された上記多孔質パイプ１を圃場に配設し、温風発生装置２を温度センサー５で起動させて、温風を多孔質パイプ１に圧入させたところ、１００ｍの長さにわたり温風を送出し、良好に霜害を防ぐことができた。
【００１３】
なお、上記実施形態は本発明を具体化した一例であって、本願発明の技術的範囲を限定するものではない。例えば、気送用多孔質パイプの材質としては、上記以外にゴム（特に加硫ゴムを粉砕したものを硫黄により接着させたもの）や、塩化ビニールを用いることができる。
また、本発明の防霜装置は、ハウス栽培施設内に配設して、防霜の目的以外に、前記施設内の温度調整を目的として使用することもできる。
【００１４】
【発明の効果】
以上説明したように、請求項１記載の発明によれば、気体を圧入して十分に長い距離にわたって表面から噴出させながら送ることができるという優れた効果がある。
また、請求項２記載の発明によれば、請求項１記載の気送用多孔質パイプを温風発生装置に連結し、農作物の付近に配置することにより、農作物を霜害から保護することができるという優れた効果がある。
【図面の簡単な説明】
【図１】本発明にかかる気送用多孔質パイプの一実施形態の斜視図である。
【図２】本発明にかかる防霜装置の一実施形態の説明図である。
【符号の説明】
１          多孔質パイプ
２          温風発生装置
３          配管
４          栓
５          温度センサー
６          農作物
【図１】
2004267139.tif 000003
【図２】
2004267139.tif 000004